(57)【特許請求の範囲】
【請求項１】
複数の記号を少なくとも２回入力させることでその記号を受け付ける入力装置において，
前記記号を入力する入力手段と，
前記入力手段によって入力された記号を表示する表示手段と，
１回目の記号の入力では，前記入力手段にて入力された記号を前記表示手段に表示し，２回目の記号の入力では，１回目で入力された記号を非表示に制御する制御手段と，
１回目で入力された記号を基に当該記号中の再入力箇所を無作為に決定し，２回目の記号の入力として，決定された再入力箇所の入力を指示する決定手段と，
１回目で入力された記号と２回目で入力された記号とが一致するか否かを判断する判断手段とを有することを特徴とする入力装置。
【請求項２】
請求項１に記載する入力装置において，
前記判断手段は，前記再入力箇所ごとに記号が一致するか否かを判断し，
前記制御手段は，前記判断手段にて一致すると判断された再入力箇所について，当該再入力箇所を非表示から表示に変更することを特徴とする入力装置。
【請求項３】
請求項１または請求項２に記載する入力装置において，
前記判断手段にて不一致と判断された場合に警告を報知する報知手段を有することを特徴とする入力装置。
【請求項４】
請求項１から請求項３のいずれか１つに記載する入力装置において，
前記記号は，電話番号，ＦＡＸ番号，パスワード，電子メールアドレスのいずれか１つを構成することを特徴とする入力装置。
【発明の詳細な説明】
【技術分野】
【０００１】
本発明は，ファクシミリ装置，パーソナルコンピュータ（ＰＣ），複合機等の入力機能を備えた入力装置に関する。さらに詳細には，複数回の入力作業により，誤入力を未然に防止する誤入力防止機能を備えた入力装置に関するものである。
【背景技術】
【０００２】
従来から，ファクシミリ装置，ＰＣ等の通信機器では，一般的に，相手先の電話番号ないしＩＤ番号等を入力し，スタートキーの操作によってデータの送信が開始される。このような通信機器では，誤った番号が入力されると，相手先に迷惑をかけるとともに，通信内容が第三者に知られてしまう。
【０００３】
そのような人為的ミスを防止する技術として，例えば特許文献１に，宛先番号を２度入力させ，それらを照合することで入力ミスの注意を喚起する誤操作防止機能付ファクシミリ装置が開示されている。
【特許文献１】特開平２−２０００５８号公報
【発明の開示】
【発明が解決しようとする課題】
【０００４】
しかしながら，前記した従来のファクシミリ装置には，次のような問題があった。すなわち，単純に２度入力するだけでは，必ずしも誤入力を効果的に抑制することができない。例えば，ユーザが入力番号を誤って覚えている場合や，同じ押し間違いが行われる場合には，ユーザが番号を確認する動機が少なく，誤送信の可能性が非常に高くなる。
【０００５】
本発明は，前記した従来の入力装置が有する問題点を解決するためになされたものである。すなわちその課題とするところは，誤入力による処理が行われる可能性が低い入力装置を提供することにある。
【課題を解決するための手段】
【０００６】
この課題の解決を目的としてなされた入力装置は，複数の記号を少なくとも２回入力させることでその記号を受け付ける入力装置であって，記号を入力する入力手段と，入力手段によって入力された記号を表示する表示手段と，１回目の記号の入力では，入力手段にて入力された記号を表示手段に表示し，２回目の記号の入力では，１回目で入力された記号を非表示に制御する制御手段と，１回目で入力された記号を基に当該記号中の再入力箇所を決定し，２回目の記号の入力として再入力箇所の入力を指示する決定手段と，１回目で入力された記号と２回目で入力された記号とが一致するか否かを判断する判断手段とを有することを特徴としている。
【０００７】
本発明の入力装置は，電話番号，ＦＡＸ番号，パスワード，電子メールアドレス等の複数の記号から構成される被入力記号を少なくとも２回入力させる誤入力防止機能を有している。そして，本発明の入力装置は，１回目の入力では，入力手段にて入力された記号を表示手段に表示し，２回目の入力では，１回目で入力された記号を非表示にする。そして，２回目の入力の際には，決定手段にて１回目で入力された記号中の再入力箇所が決定され，その決定に従って入力が指示される。そして，２回目の入力として記号が入力されると，判断手段によってその記号の適否が判断される。
【０００８】
すなわち，本発明の入力装置では，２回目の入力において，決定手段の決定に従って１回目と異なる順序で入力させる。さらに，２回目の入力の際には，１回目の入力記号が非表示である。そのため，ユーザが入力すべき記号を暗記していたとしても，スムーズな入力は困難である。よって，入力を行うユーザに対し，メモや電話帳などのデータベースとなるものを見ながら入力する等の被入力記号を確認する動機を与えることになる。これにより，ユーザは入力ミスに気付き易い。その結果として，誤入力による処理の実行が抑制される。
【０００９】
また，本発明の入力装置の判断手段は，再入力箇所ごとに記号が一致するか否かを判断し，制御手段は，判断手段にて一致すると判断された再入力箇所について，当該再入力箇所を非表示から表示に変更することとするとよりよい。
【００１０】
すなわち，本発明の入力装置では，２回目の入力において，１回目に入力された記号と一致したときのみ記号が表示される，つまり間違っていたら表示されない。そのため，ユーザが間違いに気付き易い。また，再入力箇所ごとに判断することで，入力を間違えた時でも全ての記号を再入力する必要がない。そのため，ユーザの手間が省ける。
【００１１】
また，本発明の入力装置の決定手段は，再入力箇所を無作為に決定し，決定された再入力箇所の入力を指示することとするとよりよい。すなわち，再入力箇所を無作為（ランダム）に決定することで，ユーザは入力順の予測ができない。そのため，番号を暗記しているユーザであっても入力は容易でない。従って，ユーザはより入力に慎重になり，入力ミスに気付き易い。
【００１２】
また，本発明の入力装置の決定手段は，再入力箇所を１回目で入力された記号の逆順に決定し，決定された再入力箇所の入力を指示することとしてもよい。すなわち，再入力箇所を逆順に決定することで，番号を暗記しているユーザであっても入力がスムーズにならない。そのため，ユーザはより入力に慎重になり，入力ミスに気付き易い。
【００１３】
また，本発明の入力装置は，判断手段にて不一致と判断された場合に，警告を報知する報知手段を有することとするとよりよい。すなわち，警告音，警告表示等の警告の報知によってユーザに入力ミスを認識させ，再入力を促すとともに被入力記号を確認する動機を与えることができる。
【発明の効果】
【００１４】
本発明によれば，誤入力による処理が行われる可能性が低い入力装置が実現している。
【発明を実施するための最良の形態】
【００１５】
以下，本発明にかかる画像形成装置を具体化した実施の形態について，添付図面を参照しつつ詳細に説明する。本形態は，ファクシミリ機能を有する複合機に本発明を適用したものである。
【００１６】
［複合機の全体構成］
本形態の複合機１００（入力装置の一例）は，図１に示すように，用紙に画像を印刷する画像形成部や画像データの送受信を行うデータ送受信部を備えた本体部２と，原稿の画像を読み取るスキャナ部３とを備えている。複合機１００は，ファクシミリ機能の他にも，スキャナ機能，コピー機能，プリンタ機能の各種機能を有する。本体部２の画像形成方式は，電子写真方式であっても，インクジェット方式であってもよい。また，カラー画像の形成が可能であっても，モノクロ画像専用であってもよい。
【００１７】
スキャナ部３は，原稿の自動搬送を行うＡＤＦ（Auto Document Feeder：自動原稿供給装置）３０と，原稿を載置するプラテンガラス（不図示）と，原稿の読み取りを行うイメージスキャナ（不図示）とを有する。原稿の読取方式としては，フラットベッド（原稿固定走査）方式と，ＡＤＦ（原稿移動走査）方式とが可能である。
【００１８】
また，スキャナ部３の前面には，操作部３１（入力手段の一例）と表示部３２（表示手段，報知手段の一例）とが設けられている。操作部３１は，ユーザの操作によってデータを入力するものである。具体的に操作部３１は，テンキーやモード切替キー，マルチファンクションキーなどのキースイッチによって構成される。また，表示部３２は，操作部３１による入力データや，異常を検知した際の警告メッセージを表示するものである。具体的に表示部３２は，液晶パネルによって構成される。なお，操作部３１は，表示部３２に表示されるタッチパネルであってもよい。
【００１９】
複合機１００は，例えばユーザがＦＡＸ機能を利用する場合には，次のように動作する。まず，ユーザによってＡＤＦ３０に原稿がセットされ，操作部３１によってＦＡＸ番号が入力される。ＦＡＸ番号の入力を終えると，操作部３１のＦＡＸ開始ボタンが押下される。その後，スキャナ部３にて原稿を読み取り，ＦＡＸ送信用の画像データが作成される。本体部２のデータ送受信部は，ファクシミリインターフェースを介して相手先のファクシミリ装置の情報を取得し，送信可能であればそのファクシミリ装置に対して画像データを送信する。
【００２０】
［複合機の電気的構成］
続いて，複合機１００の電気的構成について説明する。複合機１００は，図２に示すように，ＣＰＵ８１（制御手段，決定手段，判断手段の一例）と，ＲＯＭ８２と，ＲＡＭ８３と，ＥＥＰＲＯＭ８４と，操作部３１と，表示部３２と，データの送受信を行うデータ送受信部２２と，画像形成を行う画像形成部２５と，原稿の読み取りを行うイメージスキャナ３５と，警告音の発音に供するスピーカ３６（警告手段の一例）を備えている。
【００２１】
ＲＯＭ８２には，複合機１００を制御するための各種制御プログラムや各種設定，初期値等が記憶されている。ＲＡＭ８３は，各種制御プログラムが読み出される作業領域として，あるいは画像データを一時的に記憶する記憶領域として利用される。
【００２２】
ＣＰＵ８１は，ＲＯＭ８２から読み出したプログラムに従って，ＲＡＭ８３に処理結果を記憶させながら，複合機１００の動作を制御する。例えば，ＣＰＵ８１では，入力手段である操作部３１にて入力されたＦＡＸ番号について，そのＦＡＸ番号の再入力を促す誤入力防止処理を実行する。
【００２３】
データ送受信部２２は，ネットワークインターフェースないしファクシミリインターフェースから構成されており，ネットワークないし通信回線を介して外部の情報処理装置に接続されており，双方向のデータ通信を可能にしている。
【００２４】
［ＦＡＸ送信時の動作手順］
続いて，複合機１００によるＦＡＸ送信時の動作手順について，特にＦＡＸ番号入力時の誤入力防止処理について，図３および図４のフローチャートを参照しつつ説明する。なお，予め，ＡＤＦ３０には複数枚の原稿が載置されているものとする。
【００２５】
まず，図３に示すように，ユーザによって，送信先のＦＡＸ番号が入力される（Ｓ１０１）。なお，Ｓ１０１の処理での入力を１回目の入力とする。１回目の入力では，図５に示すように，入力桁番にカーソル３３が表示部３２に表示され，番号の入力が促される。そして，番号が入力されるとその番号が表示され（Ｓ１０２），カーソル３３が次の入力桁番の入力箇所に移行する。
【００２６】
次に，番号が確定されたか否かを判断する（Ｓ１０３）。すなわち，ユーザが所望のＦＡＸ番号の入力を終え，確定ボタンないしＦＡＸ送信ボタンを押下したか否かを判断する。ＦＡＸ番号を確定していない場合（Ｓ１０３：ＮＯ）には，Ｓ１０１の処理に戻り，数値の入力を繰り返す。
【００２７】
ＦＡＸ番号が確定された場合（Ｓ１０３：ＹＥＳ）には，そのＦＡＸ番号を入力ＦＡＸ番号としてＥＥＰＲＯＭ８４に記憶する（Ｓ１０４）。すなわち，一旦，入力されたＦＡＸ番号を保持する。そして，表示部３２に表示されているＦＡＸ番号を消去する（Ｓ１０５）。
【００２８】
次に，後述する２回目の入力を行う際の入力箇所，すなわち再入力箇所を決定する（Ｓ１０６）。具体的には，１回目で入力されたＦＡＸ番号のうちの，何桁目を入力箇所とするかを決定する。
【００２９】
ここで，Ｓ１０６の処理の詳細について，図６のフローチャートを参照しつつ説明する。まず，ＥＥＰＲＯＭ８４に記憶されている入力ＦＡＸ番号の桁数Ｎを取得する（Ｓ１６１）。
【００３０】
次に，１からＮまでの自然数の中から無作為に１つ選択する（Ｓ１６２）。すなわち，入力ＦＡＸ番号中の桁番を無作為に抽出する。そして，その選択された数値が，既に表示部３２に表示済みであるか否かを判断する（Ｓ１６３）。既に表示済みの場合（Ｓ１６３：ＹＥＳ）には，該当桁番の番号が入力済みであるため，Ｓ１６１の処理に戻って桁番の選択をやり直す。一方，表示済みでない場合（Ｓ１６３：ＮＯ）には，選択された桁番を再入力箇所となる桁番に決定し（Ｓ１６４），本処理を終了する。
【００３１】
図３のフローチャートに戻り，決定された桁番に対応する入力箇所（再入力箇所）にカーソルを合わせ，ＦＡＸ番号の再入力を促すメッセージを表示する（Ｓ１０７）。
【００３２】
図４のフローチャートに移行し，ユーザによって，再入力箇所の番号が入力される（Ｓ１０８）。なお，Ｓ１０８の処理での入力を２回目の入力とする。次に，入力された番号が１回目に入力されたＦＡＸ番号の該当桁番の番号と一致するか否かを判断する（Ｓ１０９）。番号が一致しない場合（Ｓ１０９：ＮＯ）には，警告音を発し（Ｓ１１０），Ｓ１０８の処理に戻って，番号の再入力を促す。警告報知手段としては，警告音の他，例えばエラーメッセージの表示やエラーランプの点灯が適用可能である。警告により，ユーザは，入力の不一致を認知することができ，再入力を促されるとともにＦＡＸ番号を再確認する動機が与えられる。
【００３３】
一方，番号が一致する場合（Ｓ１０９：ＹＥＳ）には，入力された番号を該当箇所に表示する（Ｓ１１１）。すなわち，再入力箇所について，非表示から表示に切り換える。その後，表示していない桁番があるか否か，すなわち判断していない番号があるか否かを判断する（Ｓ１１２）。判断していない番号があれば（Ｓ１１２：ＹＥＳ），Ｓ１０６の処理に戻って，判断していない番号を再入力箇所に指定してカーソルを合わせる。
【００３４】
つまり，２回目の入力では，図７に示すように，無作為に桁番が指定され，指定された桁番にカーソル３３を合わせられる。そして，ユーザは，入力ＦＡＸ番号を指定された桁番順に入力していく。正しい番号が入力されると，その番号が表示され，次の桁番の入力となる。ユーザとしては，正しい番号が入力されるまではその番号が表示されないことから，１回目の入力もしくは２回目の入力の誤りに気付かされる。
【００３５】
また，２回目の入力では，再入力箇所を無作為に決定することから，ユーザは入力箇所の予測ができない。そのため，番号を暗記しているユーザであっても入力は容易でない。従って，ユーザは，ＦＡＸ番号を再確認する動機が与えられ，より入力に慎重になり，入力ミスに気付き易い。なお，１回目の入力に誤りがあると気付いた場合には，入力処理全体をキャンセルし，１回目の入力からやり直す。
【００３６】
２回目の入力にてすべての桁番の入力が終了した場合（Ｓ１１２：ＮＯ）には，入力ＦＡＸ番号を受け付け，ＡＤＦ３０による原稿の搬送を開始し，ＡＤＦ３０によって搬送された原稿をイメージスキャナ３５で読み取ってその画像データ（ＦＡＸデータ）を取得する（Ｓ１１３）。そして，取得したＦＡＸデータのＦＡＸ送信を行う（Ｓ１１４）。Ｓ１１４の処理後は，本処理を終了する。
【００３７】
［第１の応用例：逆順入力］
続いて，誤入力防止処理の応用例について，図８および図９のフローチャートを参照しつつ説明する。第１の応用例では，２回目の入力を１回目の入力の逆順の桁番で行う。この点，２回目の入力が無作為の桁番順である先の実施例と異なる。なお，予め，ＡＤＦ３０には複数枚の原稿が載置されているものとする。
【００３８】
まず，図８に示すように，１回目の入力として，ユーザによって，所望のＦＡＸ番号が入力される（Ｓ２０１）。この１回目の入力では，先の実施例と同様に，入力された番号を順次に表示部３２に表示する（Ｓ２０２）。
【００３９】
次に，番号が確定されたか否かを判断する（Ｓ２０３）。ＦＡＸ番号を確定していない場合（Ｓ２０３：ＮＯ）には，Ｓ２０１の処理に戻り，番号の入力を繰り返す。ＦＡＸ番号が確定された場合（Ｓ２０３：ＹＥＳ）には，そのＦＡＸ番号（入力ＦＡＸ番号）をＥＥＰＲＯＭ８４に記憶する（Ｓ２０４）。そして，表示部３２に表示されているＦＡＸ番号を消去し，ＦＡＸ番号の再入力を促すメッセージを表示する（Ｓ２０５）。
【００４０】
次に，入力ＦＡＸ番号の桁数を取得する（Ｓ２０６）。そして，取得した桁数を変数Ｎに代入し（Ｓ２０７），Ｎ桁目を再入力箇所に指定する（Ｓ２０８）。その後，指定された再入力箇所にカーソルを合わせ，待機状態とする（Ｓ２０９）。
【００４１】
図９のフローチャートに移行し，２回目の入力として，ユーザによって，再入力箇所の番号が入力される（Ｓ２１０）。次に，入力された番号が１回目に入力されたＦＡＸ番号の該当桁番の番号と一致するか否かを判断する（Ｓ２１１）。番号が一致しない場合（Ｓ２１１：ＮＯ）には，警告音を発し（Ｓ２１２），Ｓ２１０の処理に戻って，番号の再入力を促す。
【００４２】
一方，番号が一致する場合（Ｓ２１１：ＹＥＳ）には，入力した番号を該当箇所に表示する（Ｓ２１３）。その後，変数Ｎが１であるか否か，すなわち再入力箇所が１回目の入力で最初に入力した箇所であるか否かを判断する（Ｓ２１４）。変数Ｎが１でなければ（Ｓ２１４：ＮＯ），Ｎ−１を変数Ｎの値とする（Ｓ２１５）。そして，Ｓ２０８の処理に戻って，Ｎ桁目を再入力箇所に指定してカーソルを合わせる。
【００４３】
すなわち，２回目の入力では，図１０に示すように，１回目の入力とは逆順に桁番が指定され，指定された箇所にカーソル３３を合わせる。そして，ユーザは，入力ＦＡＸ番号を逆順に入力していく。正しい番号が入力されると，その番号が表示され，１つ前の桁番の入力となる。ユーザとしては，正しい番号が入力されるまではその番号が表示されないことから，１回目の入力もしくは２回目の入力の誤りに気付かされる。
【００４４】
また，２回目の入力では，再入力箇所を逆順に決定することから，番号を暗記しているユーザであっても入力がスムーズにならない。そのため，ユーザは，ＦＡＸ番号を再確認する動機が与えられ，より入力に慎重になり，入力ミスに気付き易い。１回目の入力に誤りがあると気付いた場合には，入力処理全体をキャンセルし，１回目の入力からやり直すことができる。
【００４５】
変数Ｎが１であれば（Ｓ２１４：ＹＥＳ），２回目の入力にてすべての桁番の入力が終了したと判断でき，入力ＦＡＸ番号を受け付け，ＡＤＦ３０による原稿の搬送を開始し，その原稿をイメージスキャナ３５で読み取ってその画像データ（ＦＡＸデータ）を取得する（Ｓ２１６）。そして，取得したＦＡＸデータのＦＡＸ送信を行う（Ｓ２１７）。Ｓ２１７の処理後は，本処理を終了する。
【００４６】
［第２の応用例：１桁表示］
続いて，誤入力防止処理の表示の応用例について説明する。第２の応用例では，２回目の入力時に，入力桁番の番号のみを表示し，他の桁番の番号を表示しない。この点，既に入力済みの桁番の番号を表示し，現在の入力桁番にカーソルを合わせ，再入力箇所を視覚的に指示している先の実施例とは異なる。
【００４７】
第２の応用例では，図１１に示すように，１回目の入力では，先の実施例と同様に入力番号の表示を行う。入力番号の確定後，２回目の入力の開始前に１回目の入力番号を非表示とし，再入力を行う桁番のみを表示する。再入力を行う桁番の決定方法は，ランダム（実施例）であっても，逆順（第１の実施例）であってもよい。また，それら以外の順序であっても，１回目の入力順と異なればよい。
【００４８】
そして，正しい番号が入力されると，次に選択された桁番の入力となる。このとき，既に入力済みの桁番の番号は表示されない。そのため，ユーザとしては，入力番号の推測が困難であり，入力がより慎重になる。従って，入力ミスに気付き易い。
【００４９】
［第３の応用例：パスワード入力］
続いて，誤入力防止処理の応用例について，図１２のフローチャートを参照しつつ説明する。第３の応用例では，ＰＣにてパスワードの入力動作を行う際における誤入力防止処理を説明する。なお，パスワードの入力とＦＡＸ番号の入力とでは，１回目の入力手順に差異はない。すなわち，図３に示したフローチャートのＳ１０１からＳ１０７までの処理（図８に示したＳ２０１からＳ２０９までの処理でも対応可能）と同様の手順であり，説明を省略する。
【００５０】
パスワードの入力では，２回目の入力の再入力箇所を指定した後，変数Ｍを初期化する（Ｓ３０１）。そして，２回目の入力として，ユーザによって，再入力箇所の記号が入力される（Ｓ３０２）。入力される記号には，特殊文字や数字を含み，パスワードに使用される記号全般を意味する。
【００５１】
次に，入力された記号が１回目に入力されたパスワードの該当箇所の記号と一致するか否かを判断する（Ｓ３０３）。記号が一致しない場合（Ｓ３０３：ＮＯ）には，Ｍ＋１を変数Ｍの値とする（Ｓ３０４）。そして，変数Ｍが３より小さいか否かを判断する（Ｓ３０５）。変数Ｍが３より小さい場合には（Ｓ３０５：ＹＥＳ），警告音を発し（Ｓ３０６），Ｓ３０２の処理に戻って，記号の再入力を促す。一方，変数Ｍが３以上の場合には（Ｓ３０５：ＮＯ），入力されたパスワードの情報をリセットし（Ｓ３０７）し，パスワードの入力が間違っている旨の警告メッセージを表示部３２に表示する（Ｓ３０８）。Ｓ３０８の処理後は，本処理を終了する。
【００５２】
すなわち，パスワードの入力では，１箇所の入力につき２回の入力ミスまでは再入力を促すが，３回目の入力ミスでは入力をリセットする。これにより，不審者のパスワード入力が抑制され，システムの安全性が確保される。
【００５３】
記号が一致する場合（Ｓ３０３：ＹＥＳ）には，入力していない記号があるか否かを判断する（Ｓ３０９）。入力していない記号があれば（Ｓ３０９：ＹＥＳ），判断していない記号を再入力箇所に指定してカーソルを合わせ，変数Ｍを初期化する。２回目の入力にてすべての桁番の入力が終了した場合（Ｓ３０９：ＮＯ）には，入力パスワードを受け付け，当該パスワードを確定する（Ｓ３１０）。Ｓ３１０の処理後は，本処理を終了する。
【００５４】
以上詳細に説明したように実施の形態の複合機１００は，ＦＡＸ番号を２回入力させることによってそのＦＡＸ番号のＦＡＸ送信を受け付ける誤入力防止機能を有している。そして，複合機１００は，１回目の入力では，入力された番号を表示部３２に表示し，２回目の入力では，１回目のＦＡＸ番号を非表示にする。そして，２回目の入力の際には，１回目で入力された入力ＦＡＸ番号を基に，再入力箇所が無作為にあるいは逆順に決定され，その決定に従って入力が指示される。そして，２回目で入力された番号の適否が判断され，１回目の入力と２回目の入力とが等しい場合にのみＦＡＸ送信が可能になる。
【００５５】
すなわち，複合機１００では，２回目の入力において，１回目と異なる順序で入力することになる。さらに，２回目の入力の際には，１回目の入力番号が非表示である。そのため，ユーザが入力すべきＦＡＸ番号を暗記していたとしても，スムーズな入力は困難である。よって，入力を行うユーザに対し，メモや電話帳などのデータベースとなるものを見ながら入力する等のＦＡＸ番号の確認の動機を与えることになる。これにより，ユーザは入力ミスに気付き易い。その結果，誤入力によるＦＡＸ送信が抑制される。従って，誤入力による処理が行われる可能性が低い入力装置が実現している。
【００５６】
また，複合機１００は，２回目の入力時に，１回目に入力された番号と２回目に入力された番号とが一致したときのみ表示される，つまり間違っていたら表示されない。そのため，ユーザは間違いに気付き易い。また，２回目の入力時に，再入力箇所ごとに入力番号の適否を判定される。そのため，入力を間違えた時でも全ての記号を再入力する必要がなく，ユーザの手間が省ける。
【００５７】
なお，本実施の形態は単なる例示にすぎず，本発明を何ら限定するものではない。したがって本発明は当然に，その要旨を逸脱しない範囲内で種々の改良，変形が可能である。例えば，複合機やＰＣに限らず，ファクシミリ専用機や携帯電話等，入力機能を備えるものであれば適用可能である。
【００５８】
また，本実施の形態では，入力する記号として，ＦＡＸ番号やパスワードに適用しているが，これに限るものではない。例えば，電話番号，ＩＤ番号，電子メールアドレスにも適用可能である。
【００５９】
また，本実施の形態では，２回目の入力において，再入力箇所ごとに入力番号の適否を判断し，１桁ずつ表示しているが，これに限るものではない。例えば，２回目の入力において，１回目の入力番号を非表示にした状態で全桁の番号を再入力し，その後に一括して適否を判断するようにしてもよい。
【図面の簡単な説明】
【００６０】
【図１】実施の形態にかかる複合機の概略構成を示す斜視図である。
【図２】実施の形態にかかる複合機の電気的構成を示すブロック図である。
【図３】ＦＡＸ番号入力時の誤入力防止手順を示すフローチャート（再入力時ランダム入力：その１）である。
【図４】ＦＡＸ番号入力時の誤入力防止手順を示すフローチャート（再入力時ランダム入力：その２）である。
【図５】１回目の入力における表示部の表示例を示す図である。
【図６】再入力箇所の決定手順を示すフローチャートである。
【図７】２回目の入力における表示部の表示例（ランダム指定）を示す図である。
【図８】ＦＡＸ番号入力時の誤入力防止手順を示すフローチャート（再入力時逆順入力：その１）である。
【図９】ＦＡＸ番号入力時の誤入力防止手順を示すフローチャート（再入力時逆順入力：その２）である。
【図１０】２回目の入力における表示部の表示例（逆順指定）を示す図である。
【図１１】２回目の入力における表示部の表示例（１桁表示）を示す図である。
【図１２】パスワード入力時の誤入力防止手順を示すフローチャートである。
【符号の説明】
【００６１】
２２    データ送受信部
２５    画像形成部
３０    ＡＤＦ
３１    操作部
３２    表示部
３３    カーソル
１００  複合機
【図１】
0004831080.tif 000002
【図２】
0004831080.tif 000003
【図３】
0004831080.tif 000004
【図４】
0004831080.tif 000005
【図５】
0004831080.tif 000006
【図６】
0004831080.tif 000007
【図７】
0004831080.tif 000008
【図８】
0004831080.tif 000009
【図９】
0004831080.tif 000010
【図１０】
0004831080.tif 000011
【図１１】
0004831080.tif 000012
【図１２】
0004831080.tif 000013